【手続補正書】
【提出日】平成15年5月21日(2003.5.21)
【手続補正１】
【補正対象書類名】明細書
【補正対象項目名】特許請求の範囲
【補正方法】変更
【補正の内容】
【特許請求の範囲】
【請求項１】
ヒータ要素と使用される障害保護システムであって、
前記ヒータ要素内の急速な電流変化を検出する手段を含む検出手段と、
前記ヒータ要素と直列にされた電流遮断器手段と、
前記急速な電流変化が第１の所定しきい値を越えたとき、前記ヒータ要素内の電流を遮断するように前記電流遮断器手段を作動させるタイマ手段と、
を備えていることを特徴とするヒータ要素と使用される障害保護システム。
【請求項２】
前記検出手段が、前記ヒータ要素中のピーク電流を検出するピーク電流検出器を含み、
前記タイマ手段は、前記ピーク電流が第２の所定しきい値を越えたとき、前記電流遮断器手段を作動させるように構成されている、
請求項１に記載のヒータ要素と使用される障害保護システム。
【請求項３】
前記検出手段が、
一次及び二次巻線を含む変圧器であって、前記一次巻線が前記ヒータ要素及び電源と直列に接続されるように構成されている変圧器と、
整流器入力手段及び整流器出力手段を含む全波整流器であって、前記整流器入力手段が前記変圧器の前記二次巻線の両端に接続されている全波整流器と、
フィルタ入力手段及びフィルタ出力手段を含む低域フィルタであって、前記フィルタ入力手段が前記整流器出力手段に接続されている低域フィルタと、
比較器入力手段と比較器出力手段を含む比較器であって、前記比較器入力手段が前記フィルタ出力手段に接続されている比較器と、を備え、
前記低域フィルタの出力が前記第１の所定しきい値に達したとき、前記電流遮断器手段が前記ヒータ要素内の電流を遮断するように作動される、
請求項２に記載のヒータ要素と使用される障害保護システム。
【請求項４】
前記検出手段が、
センタタップ付き一次巻線及び二次巻線を含する変圧器であって、前記一次巻線の各端が前記ヒータ要素の少なくとも１つの回路とそれぞれ直列に接続され、前記センタタップが電源に接続されている変圧器と、
整流器入力手段及び整流器出力手段を含む全波整流器であって、前記整流器入力手段が前記変圧器の前記二次巻線に接続されている全波整流器と、
フィルタ入力手段及びフィルタ出力手段を含む低域フィルタであって、前記フィルタ入力手段が前記整流器出力手段に接続されている低域フィルタと、
比較器入力手段と比較器出力手段を含む比較器であって、前記比較器入力手段が前記フィルタ出力手段に接続されている比較器と、を備え
前記低域フィルタの出力が第１の所定しきい値に達したとき、前記電流遮断器手段が前記ヒータ要素内の電流を遮断するように作動される、
請求項２に記載のヒータ要素と使用される障害保護システム。
【請求項５】
前記検出手段は、
第１の端と第２の端とを有する誘電子であって、前記第１の端が前記ヒータ要素への前記端の第１に接続されるように構成され、前記第２の端が電源に接続されるように構成されている誘電子と、
第１のフィルタ入力手段及び第１のフィルタ出力手段を含む第１の高域フィルタであって、前記第１のフィルタ入力手段が前記誘電子の第１の端に接続されている第１の高域フィルタと、
第２のフィルタ入力手段及び第２のフィルタ出力手段を含む第２の高域フィルタであって、前記第２のフィルタ入力手段が前記誘導子の前記第２の端に接続されている第２の高域フィルタと、
整流器入力手段及び整流器出力手段を含む全波長整流器であって、前記整流器入力手段が前記第１のフィルタ出力手段及び前記第２のフィルタ出力手段にそれぞれ接続されている全波整流器と、
フィルタ入力手段及びフィルタ出力手段を含む低域フィルタであって、前記フィルタ入力手段が前記整流器出力手段に接続されている低域フィルタと、
比較器入力手段と比較器出力手段を含む比較器であって、前記比較器入力手段が前記フィルタ出力手段に接続されている比較器と、を備え、
前記低域フィルタの出力が第１の所定しきい値に達したとき、前記電流遮断器手段が前記ヒータ要素内の電流を遮断するように作動される、
請求項２に記載のヒータ要素と使用される障害保護システム。
【請求項６】
前記電流遮断器手段は、
それぞれがソース、ゲートおよびドレーンを含む２つの同一チャネルＭＯＳＦＥＴであって、各ＭＯＳＦＥＴの前記ソースおよびゲートがそれぞれ一緒に接続され、各ゲートおよびソース間の共通切替え電圧を受けるように構成されている２つの同一チャネルＭＯＳＦＥＴを備えている、
請求項１に記載のヒータ要素と使用される障害保護システム。
【請求項７】
前記タイマ手段が、前記ヒータ要素内の電流を所定期間、遮断するように前記電流遮断器手段を作動させるように構成されている、
請求項１ないし６のいずれか１項に記載のヒータ要素と使用される障害保護システム。
【請求項８】
ヒータ要素と使用される障害保護システムであって、
ヒータ要素内のピーク電流を検出するピーク電流検出器を含む検出手段と、
前記ヒータ要素と直列にされた電流遮断器手段と、
前記ピーク電流が所定しきい値を越えたとき、前記ヒータ要素内の電流を遮断するように前記電流遮断器手段を作動させるように構成されたタイマ手段と、
を含むことを特徴とするヒータ要素と使用される障害保護システム。
【請求項９】
導管が加湿器から患者に加湿ガスを供給し、前記導管またはガスが呼吸用導管ヒータ要素によって加熱される呼吸器加湿システムにおいて、
前記ヒータ要素内の急速な電流変化を検出する手段を含む検出手段と、
前記ヒータ要素と直列にされた電流遮断器手段と、
前記急速な電流変化が第１の所定しきい値を越えたとき、前記ヒータ要素内の電流を遮断するように前記前記遮断器手段を作動させるタイマ手段と、を含む前記ヒータ要素のための障害保護システムを備えている、
ことを特徴とする呼吸器加湿システム。
【請求項１０】
前記検出手段が前記ヒータ要素内のピーク電流を検出するピーク電流検出器を含み、
前記タイマ手段が、前記ピーク電流が第２の所定しきい値を越えたとき、前記ヒータ要素内の電流を遮断するように前記電流遮断器手段を作動させるように構成されている、
請求項９に記載の呼吸器加湿システム。
【請求項１１】
前記検出手段が、
一次及び二次巻線を含む変圧器であって、前記一次巻線が前記ヒータ要素及び電源と直列に接続されるように構成された変圧器と、
整流器入力手段及び整流器出力手段を含む全波整流器であって、前記整流器入力手段が前記変圧器の前記二次巻線の両端に接続されている全波整流器と、
フィルタ入力手段及びフィルタ出力手段を含む低域フィルタであって、前記フィルタ入力手段が前記整流器出力手段に接続されている低域フィルタと、
比較器入力手段と比較器出力手段を含む比較器であって、前記比較器入力手段が前記フィルタ出力手段に接続されている比較器と、を備え、
前記低域フィルタの出力が第１の所定しきい値に達したとき、前記電流遮断器手段は前記ヒータ要素内の電流を遮断するように作動させられる、
請求項１０に記載の呼吸器加湿システム。
【請求項１２】
前記ヒータ要素が第１の回路および第２の回路を含み、
前記検出手段が、
センタタップ付き一次巻線及び二次巻線を含む変圧器であって、該一次巻線の各端が、前記第１の回路および第２の回路にそれぞれ接続されるように構成され、前記センタタップが電源に接続されている変圧器と、
整流器入力手段及び整流器出力手段を含む全波整流器であって、前記整流器入力手段が前記変圧器の前記二次巻線の両端に接続されている全波整流器と、
フィルタ入力手段及びフィルタ出力手段を含む低域フィルタであって、前記フィルタ入力手段が前記整流器出力手段に接続されている低域フィルタと、
比較器入力手段と比較器出力手段を含み、該比較器入力手段が前記フィルタ出力手段に接続されている比較器と、を備え、
前記低域フィルタの出力が前記第１の所定しきい値に達したとき、前記電流遮断器手段が前記ヒータ要素内の電流を遮断するように作動させられる、
請求項１０に記載の呼吸器加湿システム。
【請求項１３】
前記検出手段が、
第１および第２の端を有し前記第１の端が前記ヒータ要素への前記端の第１と接続されるように構成され、前記第２の端が電源に接続されるように構成された誘電子と、
第１のフィルタ入力手段及び第１のフィルタ出力手段を含む第１の高域フィルタであって、前記第１のフィルタ入力手段が前記誘導子の第１の端に接続されている第１の高域フィルタと、
第２のフィルタ入力手段及び第２のフィルタ出力手段を含む第２の高域フィルタであって、該第２のフィルタ入力手段が前記誘導子の前記第２の端に接続されている第２の高域フィルタと、
整流器入力手段及び整流器出力手段を含む全波整流器であって、前記整流器入力手段が前記第１のフィルタ出力手段及び前記第２のフィルタ出力手段にそれぞれ接続されている全波整流器と、
フィルタ入力手段及びフィルタ出力手段を含む低域フィルタであって、前記フィルタ入力手段が前記整流器出力手段に接続されている低域フィルタと、
比較器入力手段と比較器出力手段を含む比較器であって、前記比較器入力手段が前記フィルタ出力手段に接続さている比較器と、を備え、
前記低域フィルタの出力が第１の所定しきい値に達したとき、前記電流遮断器手段が前記ヒータ要素内の電流を遮断するように作動させられる、
請求項１０に記載の呼吸器加湿システム。
【請求項１４】
前記電流遮断器手段が、
それぞれがソース、ゲートおよびドレーンを含む２つの同一チャネルＭＯＳＦＥＴであって、各ＭＯＳＦＥＴの前記ソースおよびゲートが一緒に接続され、各ゲートおよびソース間共通切替え電圧を受けるように構成されている同一チャネルＭＯＳＦＥＴを備えている、
請求項９に記載の呼吸器加湿システム。
【請求項１５】
前記タイマ手段が、前記ヒータ要素内の電流を所定期間、遮断するように前記電流遮断器手段を作動させるように構成されている、
請求項９ないし１４のいずれか１項に記載の呼吸器加湿システム。
【請求項１６】
導管が加湿器から患者に加湿ガスを搬送し、前記導管が呼吸用導管ヒータ要素で加熱される呼吸器加湿システムであって、
前記ヒータ要素内のピーク電流を検出するピーク電流検出器を含む検出手段と、
前記ヒータ要素と直列の電流遮断器手段と、
前記ピーク電流が所定しきい値を越えたとき、前記ヒータ要素内の電流を遮断するように、前記電流遮断器手段を作動させるように構成されているタイマ手段と、を含むヒータ要素用障害保護システムを備えている、
ことをを特徴とする呼吸器加湿システム。